(57)【特許請求の範囲】
【請求項１】
無線通信システムにおける移動局へ識別情報を送信するための方法であって、
移動局がレンジングを要請する場合、基地局は、仮移動局識別子を含むレンジング応答メッセージを前記移動局に送信する過程と、
前記移動局は、前記レンジング応答メッセージから仮移動局識別子を確認する過程と、
前記移動局が前記仮移動局識別子を利用して登録を要請する場合、前記基地局は、前記移動局の移動局識別子を含む登録応答メッセージを前記移動局に送信する過程と、
前記移動局は、前記登録応答メッセージから移動局識別子を確認し、前記登録応答メッセージに対する応答信号を前記基地局に送信する過程と、
前記基地局は、前記登録応答メッセージに対する応答信号が受信される場合、前記移動局の仮移動局識別子を削除する過程と、
前記移動局と基地局とは、前記移動局識別子を利用して通信する過程とを含むことを特徴とする方法。
【請求項２】
前記仮移動局識別子を確認した後、前記移動局は、前記仮移動局識別子を利用して前記基地局との能力交渉（ＳＢＣ）手順及び認証／暗号キー交換（ＰＫＭ）手順を行う過程をさらに含むことを特徴とする請求項１に記載の方法。
【請求項３】
前記移動局識別子は、ＳＴＩＤを含み、
前記仮移動局識別子は、ＴＳＴＩＤを含むことを特徴とする請求項１に記載の方法。
【請求項４】
前記登録応答メッセージを前記移動局に送信した後、基準時間の間に前記移動局から前記登録応答メッセージに対する応答信号が受信されない場合、前記基地局は、前記登録応答メッセージを前記移動局に再度送信する過程をさらに含むことを特徴とする請求項１に記載の方法。
【請求項５】
前記応答信号を前記基地局に送信する過程は、
前記移動局が登録応答メッセージを受信した場合、前記移動局は、前記登録応答メッセージに応答要請情報が設定されているかどうかを確認する過程と、
前記登録応答メッセージに対する応答要請情報が設定された場合、前記移動局は、前記登録応答メッセージに対する応答信号を前記基地局に送信する過程とを含むことを特徴とする請求項１に記載の方法。
【請求項６】
前記応答信号を前記基地局に送信する過程は、
前記移動局が登録応答メッセージを受信した場合、前記移動局は、仮移動局識別子と移動局識別子のうちの何れか一つを含むＭＳＧ  ＡＣＫメッセージを前記基地局に送信する過程を含むことを特徴とする請求項１に記載の方法。
【請求項７】
前記応答信号を前記基地局に送信する過程は、
前記移動局が登録応答メッセージを受信成功した場合、前記移動局は、移動局識別子を含む帯域幅要請ヘッダを前記基地局に送信する過程を含むことを特徴とする請求項１に記載の方法。
【請求項８】
前記応答信号を前記基地局に送信する過程は、
前記移動局が登録応答メッセージを受信成功した場合、前記移動局は、移動局識別子を含むＲＥＧ−ＡＣＫメッセージを前記基地局に送信する過程を含み、
前記ＲＥＧ−ＡＣＫメッセージは、メッセージタイプ情報を含むことを特徴とする請求項１に記載の方法。
【請求項９】
前記移動局は、前記登録応答メッセージに対する応答信号を前記基地局に送信した後、前記仮移動局識別子を削除する過程をさらに含むことを特徴とする請求項１に記載の方法。
【請求項１０】
前記登録応答メッセージに対する応答信号を前記基地局に送信した後、移動局識別子を含む資源割り当て情報が受信される場合、前記移動局は、仮移動局識別子を削除する過程をさらに含むことを特徴とする請求項１に記載の方法。
【請求項１１】
移動局に識別情報を送信するための無線通信システムであって、
基地局にレンジングを要請する移動局と、
前記移動局がレンジングを要請する場合、仮移動局識別子を含むレンジング応答メッセージを前記移動局に送信する前記基地局を備えて構成され、
前記移動局が前記仮移動局識別子を利用して登録を要請する場合、前記基地局は、前記移動局の移動局識別子を備える登録応答メッセージを前記移動局に送信し、
前記移動局は、前記登録応答メッセージから移動局識別子を確認し、前記登録応答メッセージに対する応答信号を前記基地局に送信し、
前記基地局は、前記登録応答メッセージに対する応答信号が受信される場合、前記移動局の仮移動局識別子を削除し、
前記移動局と基地局とは、前記移動局識別子を利用して通信することを特徴とする無線通信システム。
【請求項１２】
前記移動局と前記基地局とは、前記移動局が前記レンジング応答メッセージから仮移動局識別子を確認した場合、前記仮移動局識別子を利用して能力交渉（ＳＢＣ）手順及び認証／暗号キー交換（ＰＫＭ）手順を行うことを特徴とする請求項１１に記載の無線通信システム。
【請求項１３】
前記移動局識別子は、ＳＴＩＤを含み、
前記仮移動局識別子は、ＴＳＴＩＤを含むことを特徴とする請求項１１に記載の無線通信システム。
【請求項１４】
前記基地局は、登録応答メッセージを前記移動局に送信した後、基準時間の間に前記移動局から前記登録応答メッセージに対する応答信号が受信されない場合、前記基地局は、前記登録応答メッセージを前記移動局に再度送信することを特徴とする請求項１１に記載の無線通信システム。
【請求項１５】
前記移動局は、前記基地局から提供された登録応答メッセージに応答要請情報が設定された場合、前記登録応答メッセージに対する応答信号を前記基地局に送信することを特徴とする請求項１１に記載の無線通信システム。
【請求項１６】
前記移動局は、前記基地局の登録応答メッセージを受信した場合、前記登録応答メッセージに対する応答信号として仮移動局識別子と移動局識別子のうちの何れか一つを含むＭＳＧ  ＡＣＫメッセージを前記基地局に送信することを特徴とする請求項１１に記載の無線通信システム。
【請求項１７】
前記移動局は、前記基地局の登録応答メッセージを受信した場合、前記登録応答メッセージに対する応答信号として移動局識別子を含む帯域幅要請ヘッダを前記基地局に送信することを特徴とする請求項１１に記載の無線通信システム。
【請求項１８】
前記移動局は、前記基地局の登録応答メッセージを受信した場合、前記登録応答メッセージに対する応答信号として移動局識別子を含むＲＥＧ−ＡＣＫメッセージを前記基地局に送信し、
前記ＲＥＧ−ＡＣＫメッセージは、メッセージタイプ情報を含むことを特徴とする請求項１１に記載の無線通信システム。
【請求項１９】
前記移動局は、前記登録応答メッセージに対する応答信号を前記基地局に送信した後、仮移動局識別子を削除することを特徴とする請求項１１に記載の無線通信システム。
【請求項２０】
前記移動局は、前記登録応答メッセージに対する応答信号を前記基地局に送信した後、移動局識別子を含む資源割り当て情報が受信される場合、仮移動局識別子を削除することを特徴とする請求項１１に記載の無線通信システム。
【発明の詳細な説明】
【技術分野】
【０００１】
本発明は、無線通信システムにおける移動局の初期網進入に関し、前記無線通信システムにおける網進入の際、仮移動局識別子ＴＳＴＩＤを移動局識別子ＳＴＩＤに変換するためのシステム及び方法に関する。
【背景技術】
【０００２】
無線通信システムは、基地局と移動局との間の通信の際、前記移動局を識別するための移動局識別子を割り当てる。例えば、ＩＥＥＥ  ８０２．１６ｍ標準の場合、基地局は、移動局識別子と前記移動局のＭＡＣアドレスとの関係が外部にさらされることを防止するために、レンジング（ｒａｎｇｉｎｇ）過程において移動局へ仮移動局識別子ＴＳＴＩＤを割り当てる。以後、前記基地局は、移動局の承認と認証とが行われる登録過程において暗号化された新しい移動局識別子を前記移動局に送信する。すなわち、前記基地局と移動局とは、登録過程の前に仮移動局識別子を利用して通信し、登録過程の後には、移動局識別子を利用して通信する。
【０００３】
上述したように、基地局と移動局とは、登録過程の後に前記移動局の仮移動局識別子を移動局識別子に変換する。しかしながら、仮移動局識別子を移動局識別子に変換する過程においてエラーが発生した場合、基地局と移動局とは、互いに認識する前記移動局の識別情報が異なって、通信が途絶するという問題が発生する。
【先行技術文献】
【特許文献】
【０００４】
【特許文献１】韓国特許出願公開第１０−２００１−０００２７５７号公報
【発明の概要】
【発明が解決しようとする課題】
【０００５】
そこで、本発明の目的は、無線通信システムの移動局と基地局で認識する前記移動局の識別情報を一致させるためのシステム及び方法を提供することにある。
【０００６】
本発明の他の目的は、無線通信システムの移動局と基地局で前記移動局の識別情報を仮移動局識別子から移動局識別子に変換するためのシステム及び方法を提供することにある。
【０００７】
本発明のさらに他の目的は、無線通信システムの移動局と基地局で前記移動局のＴＳＴＩＤをＳＴＩＤに変換するためのシステム及び方法を提供することにある。
【０００８】
本発明のさらに他の目的は、無線通信システムの基地局で移動局の識別子変換が確認されるまで、前記移動局の識別子を仮移動局識別子に維持するためのシステム及び方法を提供することにある。
【０００９】
本発明のさらに他の目的は、無線通信システムの移動局で識別情報の変換情報を基地局に送信するためのシステム及び方法を提供することにある。
【課題を解決するための手段】
【００１０】
本発明の目的を達成すべく、本発明の第１見地によれば、無線通信システムにおける移動局へ識別情報を送信するための方法は、移動局がレンジングを要請する場合、基地局は、仮移動局識別子を含むレンジング応答メッセージを前記移動局に送信する過程と、前記移動局は、前記レンジング応答メッセージから仮移動局識別子を確認する過程と、前記移動局が前記仮移動局識別子を利用して登録を要請する場合、前記基地局は、前記移動局の移動局識別子を含む登録応答メッセージを前記移動局に送信する過程と、前記移動局は、前記登録応答メッセージから移動局識別子を確認し、前記登録応答メッセージに対する応答信号を前記基地局に送信する過程と、前記基地局は、前記登録応答メッセージに対する応答信号が受信される場合、前記移動局の仮移動局識別子を削除する過程と、前記移動局と基地局とは、前記移動局識別子を利用して通信する過程とを含むことを特徴とする。
【００１１】
本発明の第２見地によれば、移動局に識別情報を送信するための無線通信システムは、基地局にレンジングを要請する移動局と、前記移動局がレンジングを要請する場合、仮移動局識別子を含むレンジング応答メッセージを前記移動局に送信する前記基地局を備えて構成され、前記移動局が前記仮移動局識別子を利用して登録を要請する場合、前記基地局は、前記移動局の移動局識別子を備える登録応答メッセージを前記移動局に送信し、前記移動局は、前記登録応答メッセージから移動局識別子を確認し、前記登録応答メッセージに対する応答信号を前記基地局に送信し、前記基地局は、前記登録応答メッセージに対する応答信号が受信される場合、前記移動局の仮移動局識別子を削除し、前記移動局と基地局とは、前記移動局識別子を利用して通信することを特徴とする。
【発明の効果】
【００１２】
本発明によれば、無線通信システムの移動局で識別情報を移動局識別子に変換した場合、基地局へ移動局識別子変換情報を送信し、前記基地局で移動局の識別情報の変換が確認されるまで前記移動局の識別情報を仮移動局識別子に維持することによって、前記移動局と前記基地局が認識する前記移動局の識別情報を一致させることができるという利点がある。
【００１３】
また、本発明によれば、前記無線通信システムにおいて登録過程の前には、仮移動局識別子を移動局の識別情報として使用し、登録過程以後には、移動局識別子を前記移動局の識別子として使用することによって、移動局の識別情報がさらされるという問題を解消できるという利点がある。
【図面の簡単な説明】
【００１４】
【図１】本発明の実施の形態に係る無線通信システムにおける登録応答メッセージに対する応答信号を送信するための手順を示す図である。
【図２】本発明の実施の形態に係る基地局で登録応答メッセージを送信するための手順を示す図である。
【図３】本発明の実施の形態に係る移動局でＭＳＧ  ＡＣＫメッセージを利用して移動局識別子変換情報を送信するための手順を示す図である。
【図４】本発明の他の実施の形態に係る基地局で登録応答メッセージを送信するための手順を示す図である。
【図５】本発明の実施の形態に係る移動局で帯域幅要請ヘッダを利用して移動局識別子変換情報を送信するための手順を示す図である。
【図６】本発明のさらに他の実施の形態に係る基地局で登録応答メッセージを送信するための手順を示す図である。
【図７】本発明の実施の形態に係る移動局で応答信号を利用して移動局識別子変換情報を送信するための手順を示す図である。
【図８】本発明の他の実施の形態に係る無線通信システムにおける登録応答メッセージに対する応答信号を送信するための手順を示す図である。
【図９】本発明の他の実施の形態に係る移動局でＭＳＧ  ＡＣＫメッセージを利用して移動局識別子変換情報を送信するための手順を示す図である。
【図１０】本発明の他の実施の形態に係る移動局で帯域幅要請ヘッダを利用して移動局識別子変換情報を送信するための手順を示す図である。
【図１１】本発明の他の実施の形態に係る移動局で応答信号を利用して移動局識別子変換情報を送信するための手順を示す図である。
【図１２】本発明の実施の形態に係る無線通信システムにおける登録応答メッセージに対するＨＡＲＱを行うための手順を示す図である。
【図１３】本発明の実施の形態に係る基地局で登録応答メッセージに対するＨＡＲＱを行うための手順を示す図である。
【図１４】本発明の実施の形態に係る移動局で登録応答メッセージに対するＨＡＲＱを行うための手順を示す図である。
【図１５】本発明に係る基地局の構成を示す図である。
【図１６】本発明に係る移動局の構成を示す図である。
【発明を実施するための形態】
【００１５】
以下、本発明の好ましい実施の形態を、添付した図面を参照して詳細に説明する。そして、本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、操作者の意図又は慣例などによって変わりうる。したがって、その定義は、本明細書全般にわたる内容に基づいて行わなければならない。
【００１６】
以下、本発明は、無線通信システムにおける移動局の識別情報を変換するための技術について説明する。
【００１７】
以下の説明では、無線通信システムにおいてＩＥＥＥ  ８０２．１６ｍ標準を使用すると仮定する。これにより、以下では仮移動局識別子は、ＴＳＴＩＤと称し、移動局識別子は、ＳＴＩＤと称する。しかしながら、他の通信標準を使用する無線通信システムにおいても、同じ方式で移動局の識別情報を変換できる。
【００１８】
図１は、本発明の実施の形態に係る無線通信システムにおける登録応答メッセージに対する応答信号を送信するための手順を示している。
【００１９】
前記図１に示すように、移動局１１０が基地局１００に初期網進入を行う場合、前記基地局１００と前記移動局１１０とは、初期網進入のためにレンジング（ＲＮＧ）過程、能力交渉（ＳＢＣ）過程及び認証／暗号キー交換（ＰＫＭ）過程を行う（ステップ１３１）。このとき、前記基地局１００は、前記移動局１１０のレンジング要請に対する応答として送信するレンジング応答メッセージ（ＲＮＧ−ＲＳＰ）を利用して、前記移動局１１０に仮移動局識別子を割り当てる。これにより、前記基地局１００と移動局１１０とは、前記仮移動局識別子を利用して能力交渉過程及び認証／暗号キー交換過程を行う。
【００２０】
前記移動局１１０は、前記基地局１００との認証／暗号キー交換過程を行った後、前記基地局１００に登録要請メッセージＲＥＧ−ＲＥＱを送信する（ステップ１３３）。このとき、前記移動局１１０は、仮移動局識別子を利用して登録要請メッセージを送信する。
【００２１】
前記基地局１００は、前記登録要請メッセージに対する応答として前記移動局１００に割り当てた移動局識別子を含む登録応答メッセージを前記移動局１１０に送信する（ステップ１３５）。このとき、前記基地局１００は、前記移動局１１０の仮移動局識別子を削除しない。すなわち、前記基地局１００は、前記移動局識別子と共に前記仮移動局識別子を維持する。
【００２２】
前記基地局１００は、前記登録応答メッセージを送信する場合、登録応答メッセージの再送信時点を確認するためのタイマー１２０を駆動する。
【００２３】
前記タイマー１２０の駆動時間が満了するまで前記登録応答メッセージに対する応答信号が受信されない場合、前記基地局１００は、前記登録応答メッセージの送信が失敗したと認識する。これにより、前記基地局１００は、登録応答メッセージを前記移動局１１０に再度送信する（ステップ１３７）。このとき、前記基地局１００は、前記タイマー１２０を再度駆動する。
【００２４】
前記移動局１１０は、前記登録応答メッセージを受信した場合、前記登録応答メッセージから移動局識別子を確認する。
【００２５】
また、前記移動局１１０は、前記登録応答メッセージに対する応答信号を前記基地局１００に送信する（ステップ１３９）。このとき、前記移動局１１０は、前記移動局識別子又は前記仮移動局識別子を利用して、前記応答信号を送信する。また、前記移動局１１０は、前記仮移動局識別子を削除できる。
【００２６】
前記基地局１００は、前記タイマー１２０の駆動時間が満了する前に前記移動局１１０から前記登録応答メッセージに対する応答信号を受信する場合、前記移動局１１０が識別情報を仮移動局識別子から移動局識別子に変換したと認識する。前記基地局１００は、前記移動局１１０の識別情報の変換が確認されると、前記移動局識別子を利用して前記移動局１１０と通信を行う。これにより、前記基地局１００は、不必要な前記移動局１１０の仮移動局識別子ＴＳＴＩＤを削除する。
【００２７】
上述したように、前記基地局１００は、前記移動局１１０から登録応答メッセージに対する応答信号を受信して、前記移動局１１０の識別情報の変換が確認されるまで前記移動局１１０の仮移動局識別子と移動局識別子とも維持する。このとき、前記移動局１１０は、ＭＳＧ  ＡＣＫメッセージ、帯域幅要請ヘッダ、ＲＥＧ−ＡＣＫメッセージのうちの何れか一つを前記応答信号として利用できる。
【００２８】
上述した実施の形態における基地局は、移動局から応答信号を受信する場合、前記移動局の仮移動局識別子を削除する。
【００２９】
他の実施の形態における基地局は、移動局から帯域幅要請ヘッダを受信する場合、前記移動局の仮移動局識別子を削除することもできる。すなわち、移動局は、前記応答信号を送信するための資源を割り当てられるために、移動局識別子が含まれた帯域幅要請ヘッダを前記基地局に送信できる。この場合、前記基地局は、前記帯域幅要請ヘッダを介して前記移動局の識別情報が移動局識別子に変換されたと認識できる。これにより、前記基地局は、移動局から帯域幅要請ヘッダを受信する場合、前記移動局の仮移動局識別子を削除できる。
【００３０】
前記移動局１１０がＭＳＧ  ＡＣＫメッセージを登録応答メッセージに対する応答信号として使用する場合、前記基地局１００は、下記の図２に示すように動作する。
【００３１】
図２は、本発明の実施の形態に係る基地局で登録応答メッセージを送信するための手順を示している。
【００３２】
前記図２に示すように、前記基地局は、移動局との初期網進入手順を行う。例えば、前記基地局は、前記移動局との初期網進入のためにレンジング（ＲＮＧ）過程、能力交渉（ＳＢＣ）過程及び認証／暗号キー交換（ＰＫＭ）過程を行う。このとき、前記基地局は、レンジング応答メッセージを利用して前記移動局に仮移動局識別子ＴＳＴＩＤを割り当てる。
【００３３】
その後、前記基地局は、ステップ２０１に進んで移動局から登録要請メッセージが受信されているかどうかを確認する。このとき、前記登録要請メッセージは、前記移動局に割り当てた仮移動局識別子を含む。
【００３４】
登録要請メッセージを受信した場合、前記基地局は、ステップ２０３に進んで前記移動局に割り当てる移動局識別子ＳＴＩＤを決定する。
【００３５】
その後、前記基地局は、ステップ２０５に進んで前記移動局識別子とＭＳＧ−ＡＣＫメッセージ要請情報とを含む登録応答メッセージを生成する。例えば、前記登録応答メッセージにＭＳＧ−ＡＣＫメッセージ要請情報を含める場合、前記基地局は、前記登録応答メッセージが送信されるＭＰＤＵのＭＣＥＨのポーリングビットを１に設定する。
【００３６】
前記登録応答メッセージを生成した後、前記基地局は、ステップ２０７に進んで前記移動局に前記登録応答メッセージを送信する。
【００３７】
前記登録応答メッセージを送信する場合、前記基地局は、ステップ２０９に進んで登録応答メッセージの再送信時点を確認するためのタイマーを駆動する。
【００３８】
その後、前記基地局は、ステップ２１１に進んで前記タイマーの駆動時間が満了したかどうかを確認する。
【００３９】
前記タイマーの駆動時間が満了した場合、前記基地局は、前記登録応答メッセージの送信が失敗したと認識する。これにより、前記基地局は、ステップ２１７に進んで前記登録応答メッセージを前記移動局に再度送信する。
【００４０】
その後、前記基地局は、前記ステップ２０９に進んで前記登録応答メッセージの再送信時点を確認するためのタイマーを駆動する。
【００４１】
一方、前記タイマーの駆動時間が満了しない場合、前記基地局は、ステップ２１３に進んで前記移動局からＭＳＧ  ＡＣＫメッセージが受信されているかどうかを確認する。
【００４２】
前記ＭＳＧ  ＡＣＫメッセージが受信されない場合、前記基地局は、前記ステップ２１１に進んで前記タイマーの駆動時間が満了したかどうかを再度確認する。
【００４３】
一方、前記ＭＳＧ  ＡＣＫメッセージが受信された場合、前記基地局は、前記移動局が識別情報を仮移動局識別子ＴＳＴＩＤから移動局識別子ＳＴＩＤに変換したと認識する。前記基地局は、前記移動局の識別情報の変換が確認されると、前記移動局識別子を利用して前記移動局と通信を行う。これにより、前記基地局は、ステップ２１５に進んで前記移動局の仮移動局識別子ＴＳＴＩＤを削除する。
以上により、前記基地局は、本アルゴリズムを終了する。
【００４４】
上述した実施の形態における基地局は、移動局からＭＳＧ  ＡＣＫメッセージを受信する場合、前記移動局の仮移動局識別子を削除する。
【００４５】
他の実施の形態における基地局は、移動局から帯域幅要請ヘッダを受信する場合、前記移動局の仮移動局識別子を削除することもできる。すなわち、移動局は、ＭＳＧ  ＡＣＫメッセージを送信するための資源を割り当てられるために、移動局識別子が含まれた帯域幅要請ヘッダを前記基地局に送信できる。この場合、前記基地局は、前記帯域幅要請ヘッダを介して前記移動局の識別情報が移動局識別子に変換されたと認識することもできる。これにより、前記基地局は、移動局から帯域幅要請ヘッダを受信する場合、前記移動局の仮移動局識別子を削除できる。
【００４６】
ＭＳＧ  ＡＣＫメッセージを登録応答メッセージに対する応答信号として使用する場合、前記移動局１１０は、下記の図３に示すように動作する。
【００４７】
図３は、本発明の実施の形態に係る移動局でＭＳＧ  ＡＣＫメッセージを利用して移動局識別子変換情報を送信するための手順を示している。
【００４８】
前記図３に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【００４９】
その後、前記移動局は、ステップ３０１にて登録要請メッセージを前記基地局に送信する。このとき、前記登録要請メッセージは、前記仮移動局識別子ＴＳＴＩＤを含む。
【００５０】
前記登録要請メッセージを送信した後、前記移動局は、ステップ３０３に進んで前記基地局から登録応答メッセージが受信されているかどうかを確認する。
【００５１】
図示していないが、基準時間内に登録応答メッセージが受信されない場合、前記移動局は、前記登録要請メッセージの送信が失敗したと認識する。これにより、前記移動局は、登録要請メッセージを前記基地局に再度送信する。
【００５２】
登録応答メッセージが受信された場合、前記移動局は、ステップ３０５に進んで前記登録応答メッセージから前記基地局が割り当てた移動局識別子ＳＴＩＤを確認する。
【００５３】
また、登録応答メッセージが受信された場合、前記移動局は、ステップ３０７に進んで前記登録応答メッセージがＭＳＧ  ＡＣＫメッセージ要請情報を含んでいるかどうかを確認する。例えば、前記移動局は、前記登録応答メッセージが含まれたＭＰＤＵのＭＣＥＨのポーリングビットが１に設定されているかどうかを確認する。
【００５４】
前記登録応答メッセージがＭＳＧ  ＡＣＫメッセージ要請情報を含まない場合、前記移動局は、本アルゴリズムを終了する。
【００５５】
一方、前記登録応答メッセージがＭＳＧ  ＡＣＫメッセージ要請情報を含む場合、前記移動局は、ステップ３０９に進んでＭＳＧ  ＡＣＫメッセージを前記基地局に送信する。このとき、前記移動局は、仮移動局識別子又は移動局識別子を含むＭＳＧ  ＡＣＫメッセージ要請信号を送信する。
【００５６】
前記ＭＳＧ  ＡＣＫメッセージを送信した後、前記移動局は、ステップ３１１に進んで仮移動局識別子を削除する。すなわち、前記移動局は、前記基地局から移動局識別子が割り当てられた場合、前記仮移動局識別子の代りに前記移動局識別子を利用して、前記基地局と通信を行う。これにより、前記移動局は、不必要な仮移動局識別子を削除する。
以上により、前記移動局は、本アルゴリズムを終了する。
【００５７】
上述した実施の形態における前記移動局は、登録応答メッセージがＭＳＧ  ＡＣＫメッセージ要請情報を含まない場合、本アルゴリズムを終了する。
【００５８】
他の例として、前記移動局は、登録応答メッセージがＭＳＧ  ＡＣＫメッセージ要請情報を含まない場合、前記ステップ３１１に進んで仮移動局識別子を削除することもできる。
【００５９】
前記移動局１１０が帯域幅要請ヘッダを登録応答メッセージに対する応答信号として使用する場合、前記基地局１００は、下記の図４に示すように動作する。
【００６０】
図４は、本発明の他の実施の形態に係る基地局で登録応答メッセージを送信するための手順を示している。
【００６１】
前記図４に示すように、前記基地局は、移動局との初期網進入手順を行う。例えば、前記基地局は、前記移動局との初期網進入のためにレンジング（ＲＮＧ）過程、能力交渉（ＳＢＣ）過程及び認証／暗号キー交換（ＰＫＭ）過程を行う。このとき、前記基地局は、レンジング応答メッセージを利用して前記移動局に仮移動局識別子ＴＳＴＩＤを割り当てる。
【００６２】
その後、前記基地局は、ステップ４０１に進んで移動局から登録要請メッセージが受信されているかどうかを確認する。このとき、前記登録要請メッセージは、前記移動局に割り当てた仮移動局識別子を含む。
【００６３】
登録要請メッセージが受信される場合、前記基地局は、ステップ４０３に進んで前記移動局に割り当てる移動局識別子ＳＴＩＤを決定する。
【００６４】
その後、前記基地局は、ステップ４０５に進んで前記移動局識別子を含む登録応答メッセージを生成する。
【００６５】
前記登録応答メッセージを生成した後、前記基地局は、ステップ４０７に進んで前記移動局に前記登録応答メッセージを送信する。
【００６６】
前記登録応答メッセージを送信する場合、前記基地局は、ステップ４０９に進んで登録応答メッセージの再送信時点を確認するためのタイマーを駆動する。
【００６７】
その後、前記基地局は、ステップ４１１に進んで前記タイマーの駆動時間が満了したかどうかを確認する。
【００６８】
前記タイマーの駆動時間が満了した場合、前記基地局は、前記登録応答メッセージの送信が失敗したと認識する。これにより、前記基地局は、ステップ４１７に進んで前記登録応答メッセージを前記移動局に再度送信する。
【００６９】
その後、前記基地局は、前記ステップ４０９に進んで前記登録応答メッセージの再送信時点を確認するためのタイマーを駆動する。
【００７０】
一方、前記タイマーの駆動時間が満了しない場合、前記基地局は、ステップ４１３に進んで前記移動局から帯域幅要請ヘッダが受信されているかどうかを確認する。
【００７１】
前記帯域幅要請ヘッダが受信されない場合、前記基地局は、前記ステップ４１１に進んで前記タイマーの駆動時間が満了したかどうかを再度確認する。
【００７２】
一方、前記帯域幅要請ヘッダが受信された場合、前記基地局は、前記移動局が識別情報を仮移動局識別子ＴＳＴＩＤから移動局識別子ＳＴＩＤに変換したと認識する。前記基地局は、前記移動局の識別情報の変換が確認されると、前記移動局識別子を利用して前記移動局と通信を行う。これにより、前記基地局は、ステップ４１５に進んで前記移動局の仮移動局識別子ＴＳＴＩＤを削除する。
以上により、前記基地局は、本アルゴリズムを終了する。
【００７３】
帯域幅要請ヘッダを登録応答メッセージに対する応答信号として使用する場合、前記移動局１１０は、下記の図５に示すように動作する。
【００７４】
図５は、本発明の実施の形態に係る移動局で帯域幅要請ヘッダを利用して移動局識別子変換情報を送信するための手順を示している。
【００７５】
前記図５に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【００７６】
その後、前記移動局は、ステップ５０１にて登録要請メッセージを前記基地局に送信する。このとき、前記登録要請メッセージは、前記仮移動局識別子ＴＳＴＩＤを含む。
【００７７】
前記登録要請メッセージを送信した後、前記移動局は、ステップ５０３に進んで前記基地局から登録応答メッセージが受信されているかどうかを確認する。
【００７８】
図示していないが、基準時間内に登録応答メッセージが受信されない場合、前記移動局は、前記登録要請メッセージの送信が失敗したと認識する。これにより、前記移動局は、登録要請メッセージを前記基地局に再度送信する。
【００７９】
登録応答メッセージが受信された場合、前記移動局は、ステップ５０５に進んで前記登録応答メッセージから前記基地局が割り当てた移動局識別子ＳＴＩＤを確認する。
【００８０】
その後、前記移動局は、ステップ５０７に進んで前記移動局識別子を含む帯域幅要請ヘッダを前記基地局に送信する。例えば、前記移動局が送信するデータが存在する場合、前記移動局は、必要な資源を割り当てられるために帯域幅要請ヘッダを前記基地局に送信する。他の例として、前記移動局が送信するデータが存在しない場合、前記移動局は、要請帯域幅が０に設定された帯域幅要請ヘッダを前記基地局に送信する。
【００８１】
前記帯域幅要請ヘッダを送信した後、前記移動局は、ステップ５０９に進んで仮移動局識別子を削除する。すなわち、前記基地局から移動局識別子が割り当てられる場合、前記移動局は、仮移動局識別子の代りに前記移動局識別子を利用して前記基地局と通信を行う。これにより、前記移動局は、不必要な仮移動局識別子を削除する。
以上により、前記移動局は、本アルゴリズムを終了する。
【００８２】
上述した実施の形態における移動局は、送信するデータが存在しない場合、帯域幅要請ヘッダの要請帯域幅を０に設定する。
【００８３】
他の実施の形態における移動局は、送信するデータが存在しない場合、帯域幅要請ヘッダの要請帯域幅を一定の小さな値（例：１バイト）に設定できる。この場合、前記移動局は、前記要請した資源を前記基地局から割り当てられた後、前記仮移動局識別子を削除する。
【００８４】
前記移動局１１０が応答メッセージを登録応答メッセージに対する応答信号として使用する場合、前記基地局１００は、下記の図６に示すように動作する。
【００８５】
図６は、本発明のさらに他の実施の形態に係る基地局で登録応答メッセージを送信するための手順を示している。
【００８６】
前記図６に示すように、前記基地局は、移動局との初期網進入手順を行う。例えば、前記基地局は、前記移動局との初期網進入のためにレンジング（ＲＮＧ）過程、能力交渉（ＳＢＣ）過程及び認証／暗号キー交換（ＰＫＭ）過程を行う。このとき、前記基地局は、レンジング応答メッセージを利用して前記移動局に仮移動局識別子ＴＳＴＩＤを割り当てる。
【００８７】
その後、前記基地局は、ステップ６０１に進んで移動局から登録要請メッセージが受信されているかどうかを確認する。このとき、前記登録要請メッセージは、前記移動局に割り当てた仮移動局識別子を含む。
【００８８】
登録要請メッセージが受信される場合、前記基地局は、ステップ６０３に進んで前記移動局に割り当てる移動局識別子ＳＴＩＤを決定する。
【００８９】
その後、前記基地局は、ステップ６０５に進んで前記移動局識別子を含む登録応答メッセージを生成する。
【００９０】
前記登録応答メッセージを生成した後、前記基地局は、ステップ６０７に進んで前記移動局に登録応答メッセージを送信する。
【００９１】
前記登録応答メッセージを送信する場合、前記基地局は、ステップ６０９に進んで登録応答メッセージの再送信時点を確認するためのタイマーを駆動する。
【００９２】
その後、前記基地局は、ステップ６１１に進んで前記タイマーの駆動時間が満了したかどうかを確認する。
【００９３】
前記タイマーの駆動時間が満了した場合、前記基地局は、前記登録応答メッセージの送信が失敗したと認識する。これにより、前記基地局は、ステップ６１７に進んで前記登録応答メッセージを前記移動局に再度送信する。
【００９４】
その後、前記基地局は、前記ステップ６０９に進んで前記登録応答メッセージの再送信時点を確認するためのタイマーを駆動する。
【００９５】
一方、前記タイマーの駆動時間が満了しない場合、前記基地局は、ステップ６１３に進んで前記移動局から前記登録応答メッセージに対するＲＥＧ−ＡＣＫメッセージが受信されているかどうかを確認する。
【００９６】
前記登録応答メッセージに対するＲＥＧ−ＡＣＫメッセージが受信されない場合、前記基地局は、前記ステップ６１１に進んで前記タイマーの駆動時間が満了したかどうかを再度確認する。
【００９７】
一方、前記登録応答メッセージに対するＲＥＧ−ＡＣＫメッセージが受信された場合、前記基地局は、前記移動局が識別情報を仮移動局識別子ＴＳＴＩＤから移動局識別子ＳＴＩＤに変換したと認識する。前記基地局は、前記移動局の識別情報の変換が確認されると、前記移動局識別子を利用して前記移動局と通信を行う。これにより、前記基地局は、ステップ６１５に進んで前記移動局の仮移動局識別子ＴＳＴＩＤを削除する。
以上により、前記基地局は、本アルゴリズムを終了する。
【００９８】
上述した実施の形態における基地局は、移動局からＲＥＧ−ＡＣＫメッセージを受信する場合、前記移動局の仮移動局識別子を削除する。
【００９９】
他の実施の形態における基地局は、移動局から帯域幅要請ヘッダを受信する場合、前記移動局の仮移動局識別子を削除することもできる。すなわち、移動局は、ＲＥＧ−ＡＣＫメッセージを送信するための資源を割り当てられるために、移動局識別子が含まれた帯域幅要請ヘッダを前記基地局に送信できる。この場合、前記基地局は、前記帯域幅要請ヘッダを介して前記移動局の識別情報が移動局識別子に変換されたと認識することもできる。これにより、前記基地局は、移動局から帯域幅要請ヘッダを受信する場合、前記移動局の仮移動局識別子を削除できる。
【０１００】
ＲＥＧ−ＡＣＫメッセージを登録応答メッセージに対する応答信号として使用する場合、前記移動局１１０は、下記の図７に示すように動作する。
【０１０１】
図７は、本発明の実施の形態に係る移動局でＲＥＧ−ＡＣＫメッセージを利用して移動局識別子変換情報を送信するための手順を示している。
【０１０２】
前記図７に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【０１０３】
その後、前記移動局は、ステップ７０１にて登録要請メッセージを前記基地局に送信する。このとき、前記登録要請メッセージは、前記仮移動局識別子ＴＳＴＩＤを含む。
【０１０４】
前記登録要請メッセージを送信した後、前記移動局は、ステップ７０３に進んで前記基地局から登録応答メッセージが受信されているかどうかを確認する。
【０１０５】
図示していないが、基準時間内に登録応答メッセージが受信されない場合、前記移動局は、前記登録要請メッセージの送信が失敗したと認識する。これにより、前記移動局は、登録要請メッセージを前記基地局に再度送信する。
【０１０６】
登録応答メッセージが受信された場合、前記移動局は、ステップ７０５に進んで前記登録応答メッセージから前記基地局が割り当てた移動局識別子ＳＴＩＤを確認する。
【０１０７】
その後、前記移動局は、ステップ７０７に進んで前記移動局識別子を含む前記登録応答メッセージに対するＲＥＧ−ＡＣＫメッセージを前記基地局に送信する。例えば、前記ＲＥＧ−ＡＣＫメッセージは、下記の表１のように定義される。
【０１０８】
【表１】
0005743323.tif 000002
【０１０９】
前記表１のように、前記ＲＥＧ−ＡＣＫメッセージは、メッセージタイプのみを含むように構成される。
【０１１０】
前記登録応答メッセージに対するＲＥＧ−ＡＣＫメッセージを送信した後、前記移動局は、ステップ７０９に進んで仮移動局識別子を削除する。すなわち、前記基地局から移動局識別子が割り当てられる場合、前記移動局は、仮移動局識別子の代りに前記移動局識別子を利用して前記基地局と通信を行う。これにより、前記移動局は、不必要な仮移動局識別子を削除する。
以上により、前記移動局は、本アルゴリズムを終了する。
【０１１１】
図８は、本発明の他の実施の形態に係る無線通信システムにおける登録応答メッセージに対する応答信号を送信するための手順を示している。
【０１１２】
前記図８に示すように、移動局８１０が基地局８００に初期網進入を行う場合、前記基地局８００と前記移動局８１０は、初期網進入のためにレンジング（ＲＮＧ）過程、能力交渉（ＳＢＣ）過程及び認証／暗号キー交換（ＰＫＭ）過程を行う（ステップ８３１）。このとき、前記基地局８００は、前記移動局８１０のレンジング要請に対する応答として送信するレンジング応答メッセージ（ＲＮＧ−ＲＳＰ）を利用して、前記移動局８１０に仮移動局識別子を割り当てる。これにより、前記基地局８００と移動局８１０とは、前記仮移動局識別子を利用して能力交渉過程及び認証／暗号キー交換過程を行う。
【０１１３】
前記移動局８１０は、前記基地局８００との認証／暗号キー交換過程を行った後、前記基地局８００に登録要請メッセージＲＥＧ−ＲＥＱを送信する（ステップ８３３）。このとき、前記移動局８１０は、仮移動局識別子を利用して登録要請メッセージを送信する。
【０１１４】
前記基地局８００は、前記登録要請メッセージに対する応答として前記移動局８００に割り当てた移動局識別子を含む登録応答メッセージを前記移動局８１０に送信する（ステップ８３５）。このとき、前記基地局８００は、前記移動局８１０の仮移動局識別子を削除しない。すなわち、前記基地局８００は、前記移動局識別子と共に前記仮移動局識別子を維持する。
【０１１５】
前記基地局８００は、前記登録応答メッセージを送信する場合、登録応答メッセージの再送信時点を確認するためのタイマー８２０を駆動する。
【０１１６】
前記タイマー８２０の駆動時間が満了するまで前記登録応答メッセージに対する応答信号が受信されない場合、前記基地局８００は、前記登録応答メッセージの送信が失敗したと認識する。これにより、前記基地局８００は、登録応答メッセージを前記移動局８１０に再度送信する（ステップ８３７）。このとき、前記基地局８００は、前記タイマー８２０を再度駆動する。
【０１１７】
前記移動局８１０は、前記登録応答メッセージを受信した場合、前記登録応答メッセージから移動局識別子を確認する。
【０１１８】
また、前記移動局８１０は、前記登録応答メッセージに対する応答信号を前記基地局８００に送信する（ステップ８３９）。このとき、前記移動局１１０は、前記移動局識別子又は前記仮移動局識別子を利用して前記応答信号を送信する。
【０１１９】
前記基地局８００は、前記タイマー８２０の駆動時間が満了する前に前記移動局８１０から前記登録応答メッセージに対する応答信号を受信する場合、前記移動局８１０が識別情報を仮移動局識別子から移動局識別子に変換したと認識する。前記基地局８００は、前記移動局８１０の識別情報の変換が確認されると、前記移動局識別子を利用して前記移動局８１０と通信を行う。これにより、前記基地局８００は、不必要な前記移動局８１０の仮移動局識別子ＴＳＴＩＤを削除する。
【０１２０】
その後、前記基地局８００は、前記移動局８１０の移動局識別子を含む資源割り当て情報（ＭＡＰ）を前記移動局８１０に送信する（ステップ８４１）。
【０１２１】
前記移動局８１０は、移動局識別子を含む資源割り当て情報が受信されると、前記基地局８００が自身の識別情報を移動局識別子に変換したと認識する。これにより、前記移動局８１０は、仮移動局識別子を削除する（ステップ８６０）。
【０１２２】
上述したように、前記基地局８００は、前記移動局８１０から登録応答メッセージに対する応答信号を受信して前記移動局８１０の識別情報の変換が確認されるまで、前記移動局８１０の仮移動局識別子と移動局識別子とも維持する。このとき、前記移動局８１０は、ＭＳＧ  ＡＣＫメッセージ、帯域幅要請ヘッダ、応答メッセージのうちの何れか一つを前記応答信号として利用できる。
【０１２３】
上述した実施の形態における基地局は、移動局から応答信号を受信する場合、前記移動局の仮移動局識別子を削除する。
【０１２４】
他の実施の形態における基地局は、移動局から帯域幅要請ヘッダを受信する場合、前記移動局の仮移動局識別子を削除することもできる。すなわち、移動局は、前記応答信号を送信するための資源を割り当てられるために、移動局識別子が含まれた帯域幅要請ヘッダを前記基地局に送信できる。この場合、前記基地局は、前記帯域幅要請ヘッダを介して前記移動局の識別情報が移動局識別子に変換されたと認識することもできる。これにより、前記基地局は、移動局から帯域幅要請ヘッダを受信する場合、前記移動局の仮移動局識別子を削除できる。
【０１２５】
前記移動局８１０がＭＳＧ  ＡＣＫメッセージを登録応答メッセージに対する応答信号として使用する場合、前記基地局８００は、前記図２に示すように動作する。一方、前記移動局８１０は、下記の図９に示すように動作する。
【０１２６】
図９は、本発明の他の実施の形態に係る移動局でＭＳＧ  ＡＣＫメッセージを利用して移動局識別子変換情報を送信するための手順を示している。
【０１２７】
前記図９に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【０１２８】
その後、前記移動局は、ステップ９０１にて登録要請メッセージを前記基地局に送信する。このとき、前記登録要請メッセージは、前記仮移動局識別子ＴＳＴＩＤを含む。
【０１２９】
前記登録要請メッセージを送信した後、前記移動局は、ステップ９０３に進んで前記基地局から登録応答メッセージが受信されているかどうかを確認する。
【０１３０】
図示していないが、基準時間内に登録応答メッセージが受信されない場合、前記移動局は、前記登録要請メッセージの送信が失敗したと認識する。これにより、前記移動局は、登録要請メッセージを前記基地局に再度送信する。
【０１３１】
登録応答メッセージが受信された場合、前記移動局は、ステップ９０５に進んで前記登録応答メッセージから前記基地局が割り当てた移動局識別子ＳＴＩＤを確認する。
【０１３２】
また、登録応答メッセージが受信された場合、前記移動局は、ステップ９０７に進んで前記登録応答メッセージがＭＳＧ  ＡＣＫ要請情報を含んでいるかどうかを確認する。例えば、前記移動局は、前記登録応答メッセージが含まれたＭＰＤＵのＭＣＥＨのポーリングビットを１に設定されているかどうかを確認する。
【０１３３】
前記登録応答メッセージがＭＳＧ  ＡＣＫメッセージ要請情報を含まない場合、前記移動局は、本アルゴリズムを終了する。
【０１３４】
一方、前記登録応答メッセージがＭＳＧ  ＡＣＫメッセージ要請情報を含む場合、前記移動局は、ステップ９０９に進んでＭＳＧ  ＡＣＫメッセージを前記基地局に送信する。このとき、前記移動局は、仮移動局識別子又は移動局識別子を含むＭＳＧ  ＡＣＫメッセージを送信する。
【０１３５】
その後、前記移動局は、ステップ９１１に進んで前記基地局から前記移動局識別子を含む資源割り当て情報が受信されているかどうかを確認する。
【０１３６】
前記移動局識別子を含む資源割り当て情報が受信される場合、前記移動局は、ステップ９１３に進んで仮移動局識別子を削除する。すなわち、前記移動局識別子を含む資源割り当て情報が受信される場合、前記移動局は、前記基地局が自身の識別情報を移動局識別子に変換したと認識する。この場合、前記移動局は、仮移動局識別子の代りに前記移動局識別子を利用して前記基地局と通信を行う。これにより、前記移動局は、不必要な仮移動局識別子を削除する。
以上により、前記移動局は、本アルゴリズムを終了する。
【０１３７】
上述した実施の形態における前記移動局は、登録応答メッセージがＭＳＧ  ＡＣＫメッセージ要請情報を含まない場合、本アルゴリズムを終了する。
【０１３８】
他の例として、前記移動局は、登録応答メッセージがＭＳＧ  ＡＣＫメッセージ要請情報を含まない場合、前記ステップ９１３に進んで仮移動局識別子を削除することもできる。
【０１３９】
前記移動局８１０が帯域幅要請ヘッダを登録応答メッセージに対する応答信号として使用する場合、前記基地局８００は、前記図４に示すように動作する。一方、前記移動局８１０は、下記の図１０に示すように動作する。
【０１４０】
図１０は、本発明の他の実施の形態に係る移動局で帯域幅要請ヘッダを利用して移動局識別子変換情報を送信するための手順を示している。
【０１４１】
前記図１０に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【０１４２】
その後、前記移動局は、ステップ１００１にて登録要請メッセージを前記基地局に送信する。このとき、前記登録要請メッセージは、前記仮移動局識別子ＴＳＴＩＤを含む。
【０１４３】
前記登録要請メッセージを送信した後、前記移動局は、ステップ１００３に進んで前記基地局から登録応答メッセージが受信されているかどうかを確認する。
【０１４４】
図示していないが、基準時間内に登録応答メッセージが受信されない場合、前記移動局は、前記登録要請メッセージの送信が失敗したと認識する。これにより、前記移動局は、登録要請メッセージを前記基地局に再度送信する。
【０１４５】
登録応答メッセージが受信された場合、前記移動局は、ステップ１００５に進んで前記登録応答メッセージから前記基地局が割り当てた移動局識別子ＳＴＩＤを確認する。
【０１４６】
その後、前記移動局は、ステップ１００７に進んで前記移動局識別子を含む帯域幅要請ヘッダを前記基地局に送信する。例えば、前記移動局が送信するデータが存在する場合、前記移動局は、必要な資源を割り当てられるために帯域幅要請ヘッダを前記基地局に送信する。他の例として、前記移動局が送信するデータが存在しない場合、前記移動局は、要請帯域幅が０に設定された帯域幅要請ヘッダを前記基地局に送信する。
【０１４７】
その後、前記移動局は、ステップ１００９に進んで前記基地局から前記移動局識別子を含む資源割り当て情報が受信されているかどうかを確認する。
【０１４８】
前記移動局識別子を含む資源割り当て情報が受信される場合、前記移動局は、ステップ１０１１に進んで仮移動局識別子を削除する。すなわち、前記移動局識別子を含む資源割り当て情報が受信される場合、前記移動局は、前記基地局が自身の識別情報を移動局識別子に変換したと認識する。この場合、前記移動局は、仮移動局識別子の代りに前記移動局識別子を利用して、前記基地局と通信を行う。これにより、前記移動局は、不必要な仮移動局識別子を削除する。
以上により、前記移動局は、本アルゴリズムを終了する。
【０１４９】
上述した実施の形態における移動局は、送信するデータが存在しない場合、帯域幅要請ヘッダの要請帯域幅を０に設定する。
【０１５０】
他の実施の形態における移動局は、送信するデータが存在しない場合、帯域幅要請ヘッダの要請帯域幅を一定の小さな値（例：１バイト）に設定できる。この場合、前記移動局は、前記要請した資源を前記基地局から割り当てられた後、前記仮移動局識別子を削除する。
【０１５１】
前記移動局８１０が応答メッセージを登録応答メッセージに対する応答信号として使用する場合、前記基地局８００は、前記図６に示すように動作する。一方、前記移動局８１０は、下記の図１１に示すように動作する。
【０１５２】
図１１は、本発明の他の実施の形態に係る移動局でＲＥＧ−ＡＣＫメッセージ信号を利用して移動局識別子変換情報を送信するための手順を示している。
【０１５３】
前記図１１に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【０１５４】
その後、前記移動局は、ステップ１１０１にて登録要請メッセージを前記基地局に送信する。このとき、前記登録要請メッセージは、前記仮移動局識別子ＴＳＴＩＤを含む。
【０１５５】
前記登録要請メッセージを送信した後、前記移動局は、ステップ１１０３に進んで前記基地局から登録応答メッセージが受信されているかどうかを確認する。
【０１５６】
図示していないが、基準時間内に登録応答メッセージが受信されない場合、前記移動局は、前記登録要請メッセージの送信が失敗したと認識する。これにより、前記移動局は、登録要請メッセージを前記基地局に再度送信する。
【０１５７】
登録応答メッセージが受信された場合、前記移動局は、ステップ１１０５に進んで前記登録応答メッセージから前記基地局が割り当てた移動局識別子ＳＴＩＤを確認する。
【０１５８】
その後、前記移動局は、ステップ１１０７に進んで前記移動局識別子を利用して前記登録応答メッセージに対するＲＥＧ−ＡＣＫメッセージを前記基地局に送信する。例えば、前記ＲＥＧ−ＡＣＫメッセージは、前記表１のようにメッセージタイプのみを含むように構成される。
【０１５９】
前記登録応答メッセージに対するＲＥＧ−ＡＣＫメッセージを送信した後、前記移動局は、ステップ１１０９に進んで前記基地局から前記移動局識別子を含む資源割り当て情報が受信されているかどうかを確認する。
【０１６０】
前記移動局識別子を含む資源割り当て情報が受信される場合、前記移動局は、ステップ１１１１に進んで仮移動局識別子を削除する。すなわち、前記移動局識別子を含む資源割り当て情報が受信される場合、前記移動局は、前記基地局が自身の識別情報を移動局識別子に変換したと認識する。この場合、前記移動局は、仮移動局識別子の代りに前記移動局識別子を利用して前記基地局と通信を行う。これにより、前記移動局は、不必要な仮移動局識別子を削除する。
以上により、前記移動局は、本アルゴリズムを終了する。
【０１６１】
上述した図８、図９、図１０及び図１１において移動局は、基地局から割り当てられた移動局識別子を含む資源割り当て情報を受信すると、仮移動局識別子を削除する。
【０１６２】
他の実施の形態における移動局は、基地局へ登録応答メッセージに対する応答信号を送信した後、タイマーを駆動させることができる。このとき、前記タイマーの駆動時間が満了するまで仮移動局識別子を含む登録応答メッセージが受信されない場合、前記移動局は、前記仮移動局識別子を削除することもできる。
【０１６３】
上述した実施の形態における移動局は、登録応答メッセージに応答信号要請情報が設定された場合に、基地局に前記登録応答メッセージに対する応答信号を送信する。
【０１６４】
他の実施の形態における移動局は、登録応答メッセージを受信する場合、設定情報に関わらず基地局に前記登録応答メッセージに対する応答信号を送信することもできる。
【０１６５】
以下では、ＨＡＲＱを利用して移動局識別子を割り当てるための方法について説明する。
【０１６６】
図１２は、本発明の実施の形態に係る無線通信システムで登録応答メッセージに対するＨＡＲＱを行うための手順を示している。
【０１６７】
前記図１２に示すように、移動局１２１０が基地局１２００に初期網進入を行う場合、前記基地局１２００と前記移動局１２１０とは、初期網進入のためにレンジング（ＲＮＧ）過程、能力交渉（ＳＢＣ）過程及び認証／暗号キー交換（ＰＫＭ）過程を行う（ステップ１２２１）。このとき、前記基地局１２００は、前記移動局１２１０のレンジング要請に対する応答として送信するレンジング応答メッセージ（ＲＮＧ−ＲＳＰ）を利用して、前記移動局１２１０に仮移動局識別子を割り当てる。これにより、前記基地局１２００と移動局１２１０とは、前記仮移動局識別子を利用して能力交渉過程及び認証／暗号キー交換過程を行う。
【０１６８】
前記移動局１２１０は、前記基地局１２００との認証／暗号キー交換過程を行った後、前記基地局１２００に登録要請メッセージＲＥＧ−ＲＥＱを送信する（ステップ１２２３）。このとき、前記移動局１２１０は、仮移動局識別子を利用して登録要請メッセージを送信する。
【０１６９】
前記基地局１２００は、前記登録要請メッセージに対する応答として前記移動局１２００に割り当てた移動局識別子を含む登録応答メッセージを前記移動局１２１０に送信する（ステップ１２２５）。このとき、前記基地局１２００は、ＨＡＲＱパケットを利用して前記登録応答メッセージを前記移動局１２１０に送信する。また、前記基地局１２００は、前記移動局１２１０の仮移動局識別子を削除せずに、前記移動局識別子と共に維持する。
【０１７０】
前記移動局１２１０は、前記基地局１２００から提供されたＨＡＲＱパケットに対するエラーが発生した場合、前記ＨＡＲＱパケットに対するＮＡＣＫ信号を前記基地局１２００に送信する。
【０１７１】
前記基地局１２００は、前記移動局１２１０からＮＡＣＫ信号を受信した場合、前記登録応答メッセージを含むＲＱパケットを前記移動局１２１０に再度送信する。
【０１７２】
前記移動局１２１０は、ＨＡＲＱパケットを受信成功した場合、前記ＨＡＲＱパケットに対するＡＣＫ信号を前記基地局１２００に送信する。この場合、前記移動局１１０は、前記仮移動局識別子を削除する。
【０１７３】
前記基地局１２００は、前記移動局１２１０からＡＣＫ信号を受信した場合、前記ＡＣＫ信号に対応する登録応答メッセージの送信が成功したと認識する。この場合、前記基地局１２００は、前記移動局１２１０が識別情報を仮移動局識別子から移動局識別子に変換したと認識する。前記基地局１２００は、前記移動局１２１０の識別情報の変換が確認されると、前記移動局識別子を利用して前記移動局１２１０と通信を行う。これにより、前記基地局１２００は、不必要な前記移動局１２１０の仮移動局識別子ＴＳＴＩＤを削除する。
【０１７４】
ＨＡＲＱを利用して登録応答メッセージを送信する場合、前記基地局１２００は、下記の図１３に示すように動作する。
【０１７５】
図１３は、本発明の実施の形態に係る基地局で登録応答メッセージに対するＨＡＲＱを行うための手順を示している。
【０１７６】
前記図１３に示すように、前記基地局は、移動局との初期網進入手順を行う。例えば、前記基地局は、前記移動局との初期網進入のためにレンジング（ＲＮＧ）過程、能力交渉（ＳＢＣ）過程及び認証／暗号キー交換（ＰＫＭ）過程を行う。このとき、前記基地局は、レンジング応答メッセージを利用して前記移動局に仮移動局識別子ＴＳＴＩＤを割り当てる。
【０１７７】
その後、前記基地局は、ステップ１３０１に進んで移動局から登録要請メッセージが受信されているかどうかを確認する。このとき、前記登録要請メッセージは、前記移動局に割り当てた仮移動局識別子を含む。
【０１７８】
登録要請メッセージが受信される場合、前記基地局は、ステップ１３０３に進んで前記移動局に割り当てる移動局識別子ＳＴＩＤを決定する。
【０１７９】
その後、前記基地局は、ステップ１３０５に進んで前記移動局識別子を含む登録応答メッセージを生成する。
【０１８０】
前記登録応答メッセージを生成した後、前記基地局は、ステップ１３０７に進んで前記登録応答メッセージを含むＨＡＲＱパケットを生成して前記移動局に送信する。このとき、前記基地局は、前記ＨＡＲＱパケットと登録応答メッセージとのマッピング関係を別に管理する。
【０１８１】
その後、前記基地局は、ステップ１３０９に進んで前記ＨＡＲＱパケットに対するＡＣＫ／ＮＡＣＫ信号が受信されているかどうかを確認する。
【０１８２】
前記ＨＡＲＱパケットに対するＮＡＣＫ信号が受信される場合、前記基地局は、ステップ１３１５に進んで前記登録応答メッセージを含むＨＡＲＱパケットを前記移動局に再度送信する。
【０１８３】
その後、前記基地局は、前記ステップ１３０９に進んで前記ＨＡＲＱパケットに対するＡＣＫ／ＮＡＣＫ信号が受信されているかどうかを確認する。
【０１８４】
一方、前記ＨＡＲＱパケットに対するＡＣＫ信号が受信される場合、前記基地局は、ステップ１３１１に進んで前記ＡＣＫ信号に対応する登録応答メッセージを確認する。
【０１８５】
前記ＡＣＫ信号に対応する登録応答メッセージを確認した場合、前記基地局は、前記移動局が識別情報を仮移動局識別子ＴＳＴＩＤから前記登録応答メッセージに含まれた移動局識別子ＳＴＩＤに変換したと認識する。前記基地局は、前記移動局の識別情報の変換が確認されると、前記移動局識別子を利用して前記移動局と通信を行う。これにより、前記基地局は、ステップ１３１３に進んで前記移動局の仮移動局識別子ＴＳＴＩＤを削除する。
以上により、前記基地局は、本アルゴリズムを終了する。
【０１８６】
前記基地局１２００がＨＡＲＱを利用して登録応答メッセージを送信する場合、前記移動局１２１０は、下記の図１４に示すように動作する。
【０１８７】
図１４は、本発明の実施の形態に係る移動局で登録応答メッセージに対するＨＡＲＱを行うための手順を示している。
【０１８８】
前記図１４に示すように、前記移動局は、基地局との初期網進入手順を行う。例えば、前記移動局は、前記基地局との初期網進入のためにレンジング（ＲＮＧ）過程、能力交渉（ＳＢＣ）過程及び認証／暗号キー交換（ＰＫＭ）過程を行う。このとき、前記移動局は、レンジング応答メッセージを介して前記基地局から仮移動局識別子ＴＳＴＩＤが割り当てられる。
【０１８９】
その後、前記移動局は、ステップ１４０１にて登録要請メッセージを前記基地局に送信する。このとき、前記登録要請メッセージは、前記仮移動局識別子ＴＳＴＩＤを含む。
【０１９０】
前記登録要請メッセージを送信した後、前記移動局は、ステップ１４０３に進んで前記基地局からＨＡＲＱパケットが受信されているかどうかを確認する。
【０１９１】
その後、前記移動局は、ステップ１４０５に進んで前記ＨＡＲＱパケットにエラーが発生したかどうかを確認する。
【０１９２】
前記ＨＡＲＱパケットにエラーが発生した場合、前記移動局は、ステップ１４１３に進んで前記ＨＡＲＱパケットに対するＮＡＣＫ信号を前記基地局に送信する。
【０１９３】
一方、前記ＨＡＲＱパケットにエラーが発生しない場合、前記移動局は、ステップ１４０７に進んで前記ＨＡＲＱパケットに対するＡＣＫ信号を前記基地局に送信する。
【０１９４】
その後、前記移動局は、ステップ１４０９に進んで前記ＨＡＲＱパケットに含まれた登録応答メッセージから前記基地局が割り当てた移動局識別子ＳＴＩＤを確認する。
【０１９５】
前記移動局識別子を確認した後、前記移動局は、ステップ１４１１に進んで仮移動局識別子を削除する。すなわち、前記基地局から移動局識別子が割り当てられる場合、前記移動局は、仮移動局識別子の代りに前記移動局識別子を利用して前記基地局と通信を行う。これにより、前記移動局は、不必要な仮移動局識別子を削除する。
以上により、前記移動局は、本アルゴリズムを終了する。
【０１９６】
以下では、仮移動局識別子と移動局識別子とを割り当てるための基地局の構成について説明する。
【０１９７】
図１５は、本発明に係る基地局の構成を示している。
【０１９８】
前記図１５に示すように基地局は、送受切換器１５００、受信部１５１０、メッセージ処理部１５２０、制御部１５３０、タイマー１５４０、格納部１５５０、メッセージ生成部１５６０及び送信部１５７０を備えて構成される。
【０１９９】
前記送受切換器１５００は、デュプレクス方式によって前記送信部１５７０から提供された送信信号をアンテナを介して送信し、アンテナからの受信信号を受信部１５１０に提供する。
【０２００】
前記受信部１５１０は、前記送受切換器１５００から提供された高周波信号をベースバンド信号に変換して復調する。前記受信部１５１０を、ＲＦ処理ブロック、復調ブロック、チャネル復号ブロックなどを備えて構成することができる。例えば、前記ＲＦ処理ブロックは、前記送受切換器１５００から提供された高周波信号をベースバンド信号に変換して出力する。前記復調ブロックは、前記ＲＦ処理ブロックから提供された信号から各副搬送波に載せられたデータを抽出するためのＦＦＴ演算器などから構成される。前記チャネル復号ブロックは、復調器、デインターリーバ及びチャネルデコーダなどから構成される。
【０２０１】
前記メッセージ処理部１５２０は、前記受信部１５１０から提供された信号から制御情報を抽出して前記制御部１５３０に提供する。例えば、前記メッセージ処理部１５２０は、前記受信部１５１０から提供された信号からレンジング要請メッセージ、能力交渉のための信号、認証／暗号キー交換のための信号及び登録要請メッセージを抽出して、記制御部１５３０に提供する。
【０２０２】
前記制御部１５３０は、前記基地局の全般的な動作及び移動局との初期接続手順を制御する。例えば、前記メッセージ処理部１５２０から移動局のレンジング要請メッセージ（ＲＮＧ−ＲＥＱ）が受信される場合、前記制御部１５３０は、レンジング応答メッセージ（ＲＮＧ−ＲＳＰ）を利用して、前記移動局に仮移動局識別子を割り当てる。これにより、前記制御部は、前記仮移動局識別子を利用して前記移動局と能力交渉過程及び認証／暗号キー交換過程を行うように制御する。その後、前記メッセージ処理部１５０から前記移動局の登録要請メッセージが受信される場合、前記制御部１５３０は、登録応答メッセージを利用して前記移動局へ移動局識別子を割り当てる。
【０２０３】
前記制御部１５３０は、前記移動局が識別情報を仮移動局識別子から移動局識別子に変換したことが確認されるまで、前記移動局の仮移動局識別子と移動局識別子とも維持するように制御する。万一、前記移動局の識別情報の変換が確認された場合、前記制御部１５３０は、前記移動局の仮移動局識別子を削除するように制御する。例えば、前記制御部１５３０は、前記図２、図４、図６に示すように移動局から提供されたＭＳＧ  ＡＣＫメッセージ、帯域幅要請ヘッダ及び応答メッセージのうちの何れか一つを介して、前記移動局の識別情報の変換を確認する。他の例として、前記制御部１５３０は、前記図１３に示すように登録応答メッセージに対するＨＡＲＱを介して前記移動局の識別情報の変換を確認することもできる。
【０２０４】
前記タイマー１５４０は、登録応答メッセージの再送信時間を確認するためのもので、登録応答メッセージの送信の際、前記制御部１５３０の制御によって駆動される。このとき、前記制御部１５３０は、前記タイマー１５４０の駆動時間が満了するまで移動局から登録応答メッセージに対する応答信号を提供されないと、登録応答メッセージを前記移動局に再度送信する。
【０２０５】
前記格納部１５５０は、前記基地局の動作を制御するためのプログラム及びプログラム遂行中に発生するデータを格納する。例えば、前記格納部１５５０は、移動局に割り当てた仮移動局識別子と移動局識別子を格納する。
【０２０６】
前記メッセージ生成部１５６０は、前記制御部１５３０の制御によって移動局に送信する制御メッセージを生成する。例えば、前記メッセージ生成部１５６０は、前記制御部１５３０の制御によって移動局に送信するレンジング応答メッセージ、能力交渉のための信号、認証／暗号キー交換のための信号及び登録応答メッセージを生成する。ここで、前記レンジング応答メッセージは、移動局の仮移動局識別子を含み、前記登録応答メッセージは、前記移動局の移動局識別子を含む。
【０２０７】
前記送信部１５７０は、移動局に送信するデータ及び前記メッセージ生成部１５６０から提供された制御メッセージを符号化及び高周波信号に変換して、前記送受切換器１５００に送信する。例えば、前記送信部１５７０を、チャネル符号ブロック、変調ブロック、ＲＦ処理ブロックなどを備えて構成することができる。ここで、前記チャネル符号ブロックは、変調器、インタリーバ及びチャネルエンコーダなどから構成される。前記変調ブロックは、前記チャネル符号ブロックから提供された信号を各副搬送波にマッピングするためのＩＦＦＴ演算器などから構成される。前記ＲＦ処理ブロックは、前記変調ブロックから提供されたベースバンド信号を高周波信号に変換して、前記送受切換器１５００に出力する。
【０２０８】
以下では、仮移動局識別子を移動局識別子に変換するための移動局の構成について説明する。
【０２０９】
図１６は、本発明に係る移動局の構成を示している。
【０２１０】
前記図１６に示すように、前記移動局は、送受切換器１６００、受信部１６１０、メッセージ処理部１６２０、制御部１６３０、格納部１６４０、メッセージ生成部１６５０及び送信部１６６０を備えて構成される。
【０２１１】
前記送受切換器１６００は、デュプレクス方式によって前記送信部１６６０から提供された送信信号をアンテナを介して送信し、アンテナからの受信信号を受信部１６１０に提供する。
【０２１２】
前記受信部１６１０は、前記送受切換器１６００から提供された高周波信号をベースバンド信号に変換して復調する。前記受信部１６１０を、ＲＦ処理ブロック、復調ブロック、チャネル復号ブロックなどを備えて構成することができる。例えば、前記ＲＦ処理ブロックは、前記送受切換器１６００から提供された高周波信号をベースバンド信号に変換して出力する。前記復調ブロックは、前記ＲＦ処理ブロックから提供された信号から各副搬送波に載せられたデータを抽出するためのＦＦＴ演算器などから構成される。前記チャネル復号ブロックは、復調器、デインターリーバ及びチャネルデコーダなどから構成される。
【０２１３】
前記メッセージ処理部１６２０は、前記受信部１６１０から提供された信号から制御情報を抽出して、前記制御部１６３０に提供する。例えば、前記メッセージ処理部１６２０は、前記受信部１６１０から提供された信号からレンジング応答メッセージ、能力交渉のための信号、認証／暗号キー交換のための信号及び登録応答メッセージを抽出して、前記制御部１６３０に提供する。
【０２１４】
前記制御部１６３０は、前記移動局の全般的な動作及び基地局との初期接続手順を制御する。例えば、前記制御部１６３０は、基地局との初期接続のために前記基地局にレンジング要請メッセージを送信するように制御する。その後、レンジング応答メッセージを介して仮移動局識別子が割り当てられた場合、前記制御部１６３０は、前記仮移動局識別子を利用して前記基地局との能力交渉過程及び認証／暗号キー交換過程を行うように制御する。
【０２１５】
前記制御部１６３０は、前記メッセージ処理部１６２０から登録応答メッセージが提供される場合、前記登録応答メッセージから前記基地局が割り当てた移動局識別子を確認する。
【０２１６】
前記制御部１６３０は、前記基地局から移動局識別子が割り当てられた場合、前記仮移動局識別子を前記移動局識別子に変換する。このとき、前記制御部１６３０は、前記図３、図５、図７、図９、図１０及び図１１に示すように、ＭＳＧ  ＡＣＫメッセージ、帯域幅要請ヘッダ及び応答メッセージのうちの何れか一つを応答信号を利用して、識別情報の変換を前記基地局に知らせるように制御する。
【０２１７】
万一、前記図３、図５及び図７のように、識別情報の変換を前記基地局に送信した場合、前記制御部１６３０は、登録応答メッセージに対する応答信号を基地局に送信した後、仮移動局識別子を削除するように制御する。他の例として、前記図９。図１０及び図１１のように、識別情報の変換を前記基地局に送信した場合、前記制御部１６３０は、登録応答メッセージに対する応答信号を送信した後、移動局識別子を含む資源割り当て情報（ＭＡＰ）が受信されると、仮移動局識別子を削除するように制御することもできる。さらに他の例として、前記制御部１６３０は、登録応答メッセージに対する応答信号を送信した後、一定時間の間に仮移動局識別子を含む登録応答メッセージが受信されない場合、前記仮移動局識別子を削除するように制御することもできる。
【０２１８】
前記格納部１６４０は、前記移動局の動作を制御するためのプログラム及びプログラムの遂行中に発生するデータを格納する。例えば、前記格納部１６４０は、基地局から割り当てられた仮移動局識別子と移動局識別子とを格納する。
【０２１９】
前記メッセージ生成部１６５０は、前記制御部１６３０の制御によって基地局に送信する制御メッセージを生成する。例えば、前記メッセージ生成部１６５０は、前記制御部１６３０の制御によって初期網進入のために基地局に送信するレンジング要請メッセージを生成する。他の例として、前記メッセージ生成部１６５０は、前記制御部１６３０の制御によって仮移動局識別子を含む能力交渉のための信号、認証／暗号キー交換のための信号及び登録要請メッセージを生成する。また、さらに他の例として、前記メッセージ生成部１６５０は、前記制御部１６３０の制御によって登録応答メッセージに対する応答信号を生成する。
【０２２０】
前記送信部１６６０は、基地局に送信するデータ及び前記メッセージ生成部１６５０から提供された制御メッセージを符号化及び高周波信号に変換して、前記送受切換器１６００に送信する。例えば、前記送信部１６６０は、チャネル符号ブロック、変調ブロック、ＲＦ処理ブロックなどを備えて構成されることができる。ここで、前記チャネル符号ブロックは、変調器、インタリーバ及びチャネルエンコーダなどから構成される。前記変調ブロックは、前記チャネル符号ブロックから提供された信号を各副搬送波にマッピングするためのＩＦＦＴ演算器などから構成される。前記ＲＦ処理ブロックは、前記変調ブロックから提供された基底帯域信号を高周波信号に変換して、前記送受切換器１６００に出力する。
【０２２１】
上述した実施の形態における移動局の制御部１６３０は、登録応答メッセージに対する応答信号を送信して基地局へ移動局の識別情報の変換を知らせる。
【０２２２】
他の実施の形態における前記制御部１６３０は、登録応答メッセージに対するＨＡＲＱを行って移動局の識別情報の変換を基地局に知らせるように制御することもできる。
【０２２３】
上述したように、無線通信システムの移動局で識別情報を移動局識別子に変換した場合、基地局へ移動局識別子変換情報を送信し、前記基地局で移動局の識別情報の変換が確認されるまで前記移動局の識別情報を仮移動局識別子に維持することによって、前記移動局と前記基地局が認識する前記移動局の識別情報を一致させることができるという利点がある。
【０２２４】
また、前記無線通信システムにおいて登録過程の前には、仮移動局識別子を移動局の識別情報として使用し、登録過程以後には、移動局識別子を前記移動局の識別子として使用することによって、移動局の識別情報がさらされるという問題を解消できるという利点がある。
【０２２５】
一方、本発明の詳細な説明では、具体的な実施の形態について説明したが、本発明の範囲から逸脱しない範囲内で多様な変形が可能であることは勿論である。したがって、本発明の範囲は、上述の実施の形態に限定されず、特許請求の範囲だけでなく、特許請求の範囲と均等なものによって決まらねばならない。
【符号の説明】
【０２２６】
１５００  送受切換器
１５１０  受信部
１５２０  メッセージ処理部
１５３０  制御部
１５４０  タイマー
１５５０  格納部
１５６０  メッセージ生成部
１５７０  送信部
１６００  送受切換器
１６１０  受信部
１６２０  メッセージ処理部
１６３０  制御部
１６４０  格納部
１６５０  メッセージ生成部
１６６０  送信部
【図１】
0005743323.tif 000003
【図２】
0005743323.tif 000004
【図３】
0005743323.tif 000005
【図４】
0005743323.tif 000006
【図５】
0005743323.tif 000007
【図６】
0005743323.tif 000008
【図７】
0005743323.tif 000009
【図８】
0005743323.tif 000010
【図９】
0005743323.tif 000011
【図１０】
0005743323.tif 000012
【図１１】
0005743323.tif 000013
【図１２】
0005743323.tif 000014
【図１３】
0005743323.tif 000015
【図１４】
0005743323.tif 000016
【図１５】
0005743323.tif 000017
【図１６】
0005743323.tif 000018